(57)【特許請求の範囲】
【請求項１】
原稿から原稿画像を読み取る読取手段と、
１枚目の前記原稿画像の向きが２枚目以降の前記原稿画像の向きと同じであるか、違うのかの出力形態を指定する出力形態指定手段と、
前記出力形態指定手段により指定された前記出力形態に基づいて前記１枚目の原稿画像から表紙画像を形成し、２枚目以降の前記原稿画像を所定の数毎に合成して前記表紙画像と同一のサイズの合成画像を形成する画像作成手段と、
前記表紙画像を１枚目の用紙に印字し、前記合成画像を２枚目以降の用紙に印字する印字手段とを備えたことを特徴とする画像形成装置。
【請求項２】
原稿から原稿画像を読み取る読取手段と、
前記読取手段により読み取られたＮ（Ｎ≧２）枚分の前記原稿画像を１枚の用紙に出力するＮｉｎ１機能を指定するＮｉｎ１機能指定手段と、
１枚目の原稿が表示画像であるか否かを指定する表紙有無指定手段と、
１枚目の原稿画像の向きが２枚目以降の前記原稿画像の向きと同じであるか、違うのかの出力形態を指定する出力形態指定手段と、
前記Ｎｉｎ１機能指定手段によりＮｉｎ１機能が指定され、前記表紙有無指定手段により表紙ありと指定された場合は、１枚目の前記原稿画像はＮｉｎ１機能を解除して前記出力形態指定手段により指定された前記出力形態に基づいて１枚目の用紙に印字する制御を行うとともに、２枚目以降の前記原稿画像はＮｉｎ１機能を有効にして２枚目以降の用紙に印字する制御を行う制御手段とを備えたこと特徴とする画像形成装置。
【請求項３】
前記出力形態指定手段は、さらに前記１枚目の原稿画像の配置および倍率を指定することを特徴とする請求項１または２に記載の画像形成装置。
【発明の詳細な説明】
【０００１】
【発明の属する技術分野】
本発明は、デジタル複写機，プリンタ，ファクシミリ，複合機等の画像形成装置に関し、特に、表紙と本文で構成された原稿を見栄え良くＮｉｎ１出力することができる画像形成装置に関する。
【０００２】
【従来の技術】
従来、画像形成装置において、Ｎページ分の原稿を１枚の用紙に印字する、いわゆる「Ｎｉｎ１」機能を有するものが知られている。
【０００３】
このようなＮｉｎ１機能を有する従来の画像形成装置として、例えば、特開２００１−１８９８４３号公報に示されるものがある。
【０００４】
この特開２００１−１８９８４３号公報に示された画像形成装置は、原稿のサイズと向きを検出する原稿状態検出センサと、原稿から画像を読み取る画像読取部と、原稿画像が用紙の分割印字領域に収まるように原稿の向きを変えずに倍率のみを変えて合成画像を作成する画像作成部と、合成画像を用紙に印字出力する画像出力部とを備えている。これによれば、原稿のサイズや向きが異なる場合でも２ｉｎ１出力することができる。
【０００５】
【発明が解決しようとする課題】
しかし、従来の画像形成装置によると、原稿画像が用紙の各印字領域に収まるように原稿画像の向きを変えずに倍率のみを変えて合成画像を作成していため、表紙と本文で構成されている原稿に対しては、表紙の画像が１枚の用紙に印字されずに、本文と同じように用紙の分割印字領域に印字されるため、見栄えが悪くなるという問題がある。
【０００６】
図１４および図１５は、その問題点を説明するための図である。図１４（ａ）に示すように、表紙原稿５ａがＡ４サイズで横向き、本文原稿５ｂがＡ４サイズで縦向き、用紙６が図１４（ｂ）に示すようにＡ４サイズで横向きの場合に、２ｉｎ１出力すると、原稿画像の方向を変えないで各原稿画像が用紙の左右の印字領域にそれぞれ配置されるため、図１４（ｂ）に示すように、表紙原稿５ａの画像は、１ページ目の用紙６の左側の印字領域に収まるように０．５倍で縮小され、１ページ目の本文原稿５ｂの画像は、１ページ目の用紙６の右側の印字領域に収まるように０．７倍で縮小され、２ページ目以降の本文原稿５ｂは偶数ページが用紙６の左側の印字領域に印字され、奇数ページが用紙６の右側の印字領域に印字される。このように表紙と本文が同一ページに印字されるので、見栄えが悪くなる。
【０００７】
また、図１５（ａ）に示すように、表紙原稿５ａも本文原稿５ｂもＡ４サイズで縦向き、用紙６が図１５（ｂ）に示すようにＡ４サイズで横向きの場合、１ページ目の表紙原稿５ａを手動により倍率を等倍に設定し、本文原稿５ｂは２ｉｎ１で自動で印字するように設定した場合、図１５（ｂ）に示すように、表紙原稿の画像が一枚の用紙６ａに印字されるが、手間であることに加え、図１５（ｃ）に示すように、表紙の用紙６ａと本文原稿５ｂが２ｉｎ１出力された用紙６ｂとを揃えてホチキス止め７をした場合、めくりにくい文書となってしまう。
【０００８】
従って、本発明の目的は、表紙原稿と本文原稿で構成された複数の原稿を見栄え良くＮｉｎ１出力することができる画像形成装置を提供することにある。
【００１０】
【課題を解決するための手段】
本発明は、上記目的を達成するため、原稿から原稿画像を読み取る読取手段と、１枚目の前記原稿画像の向きが２枚目以降の前記原稿画像の向きと同じであるか、違うのかの出力形態を指定する出力形態指定手段と、前記出力形態指定手段により指定された前記出力形態に基づいて前記１枚目の原稿画像から表紙画像を形成し、２枚目以降の前記原稿画像を所定の数毎に合成して前記表紙画像と同一のサイズの合成画像を形成する画像作成手段と、前記表紙画像を１枚目の用紙に印字し、前記合成画像を２枚目以降の用紙に印字する印字手段とを備えたことを特徴とする画像形成装置を提供する。
この構成によれば、１枚目の原稿画像の向きの出力形態を指定することにより、その出力形態に基づいて表紙画像が形成され、２枚目以降の原稿の画像から合成画像が作成され、その後、表紙画像は１枚目の用紙に印字され、合成画像は２枚目以降の用紙に印字される。従って、表紙画像と合成画像とが同じ用紙に印字されないため、表紙画像が見栄え良くなる。
【００１４】
本発明は、上記目的を達成するため、原稿から原稿画像を読み取る読取手段と、前記読取手段により読み取られたＮ（Ｎ≧２）枚分の前記原稿画像を１枚の用紙に出力するＮｉｎ１機能を指定するＮｉｎ１機能指定手段と、１枚目の原稿が表示画像であるか否かを指定する表紙有無指定手段と、１枚目の原稿画像の向きが２枚目以降の前記原稿画像の向きと同じであるか、違うのかの出力形態を指定する出力形態指定手段と、前記Ｎｉｎ１機能指定手段によりＮｉｎ１機能が指定され、前記表紙有無指定手段により表紙ありと指定された場合は、１枚目の前記原稿画像はＮｉｎ１機能を解除して前記出力形態指定手段により指定された前記出力形態に基づいて１枚目の用紙に印字する制御を行うとともに、２枚目以降の前記原稿画像はＮｉｎ１機能を有効にして２枚目以降の用紙に印字する制御を行う制御手段とを備えたこと特徴とする画像形成装置を提供する。
【００１６】
【発明の実施の形態】
図１は、本発明の実施の形態に係る画像形成装置が適用されたデジタル複写機を示す。このデジタル複写機は、このデジタル複写機全体を制御するコントローラ１と、ユーザの操作によってＮｕｐ（Ｎｉｎ１と同義）の設定等の各種の入力が可能な操作パネル２と、原稿から画像を読み取って入力する画像入力部３と、用紙に画像を印字して出力する画像出力部４とを有する。
【００１７】
操作パネル２は、原稿の読み取り開始を指示するスタートボタン２ａ、コピーや通信作業を中止するストップボタン等の複数のボタンの他、タッチパネルディスプレイ２０を備える。タッチパネルディスプレイ２０は、液晶ディスプレイ等の表示部と、この表示部の上に重合配置された入力部からなる。入力部は、表示部に表示された各項目の表示位置に対応する入力部の部分を押圧することによって入力操作が行えるようになっている。
【００１８】
画像入力部３は、複数の原稿を自動的に１枚ずつ供給するＡＤＦ３０と、ＡＤＦ３０から供給された原稿のサイズと向きを検出する原稿センサ３１と、ＣＣＤ（Charge Coupled Device）等の固体撮像素子によって原稿の画像を指定された読取倍率で光学的に１枚ずつ読み取る画像読取部３２と、この画像入力部３の各部を制御する入力ＣＰＵ３３と、コントローラ１との間で情報の送受信を行うインタフェース（Ｉ／Ｆ）３４とを備えている。
【００１９】
コントローラ１は、操作パネル２、画像入力部３および画像出力部４との間で情報の送受信をそれぞれ行うパネルＩ／Ｆ１０、入力部Ｉ／Ｆ１１および出力部Ｉ／Ｆ１２と、画像をページ単位で記憶するページメモリ１３と、プログラムや画像等のデータを記憶するシステムメモリ１４と、２部以降の印字のために画像を記憶するＨＤＤ１５と、システムメモリ１４に記憶されたプログラムに基づいてコントローラ１の各部を制御するとともに、このデジタル複写機全体を制御するメインＣＰＵ１６とを備える。
【００２０】
図２〜図１０は、操作パネル２のタッチパネルディスプレイ２０に表示される画面の一例を示す。
【００２１】
図２は、Ｎｕｐ設定画面を示す。このＮｕｐ設定画面２０ａには、Ｎｕｐの各設定を中止する取り消しキー２１ａ、メニュー選択画面に戻す閉じるキー２１ｂ、原稿セット向きを指定する原稿セット向き指定キー２２ａ，２２ｂ、Ｎｕｐの設定を中止するＮｕｐ中止キー２３ａ、Ｎｕｐの種類を指定するための２ｉｎ１指定キー２３ｂおよび４ｉｎ１指定キー２３ｃが表示される。原稿セット向き指定キー２２ａは、原稿のセットの向きが同図に示すように読める向きを指定するものであり、原稿セット向き指定キー２２ｂは、原稿のセットの向きが同図に示すように左向きを指定するものである。
【００２２】
図３は、レイアウト順序・表紙指定画面を示す。このレイアウト順序・表紙指定画面２０ｂは、２ｉｎ１が指定された場合に表示されるものであり、この画面２０ｂには、図２に示す表示に加え、本文原稿のレイアウトの順序を指定するレイアウト順序指定キー２４ａ，２４ｂ，２４ｃと、用紙の１ページ目を表紙とする場合に指定する表紙指定キー２５が表示される。レイアウト順序指定キー２４ａは、用紙の左側に原稿の１枚目、右側に原稿の２枚目を配置する指定（左、右）を行うものであり、レイアウト順序指定キー２４ｂは、用紙の右側に原稿の１枚目、左側に原稿の２枚目を配置する指定（右、左）を行うものであり、レイアウト順序指定キー２４ｃは、用紙の上側に原稿の１枚目、下側に原稿の２枚目を配置する指定（上、下）を行うものである。なお、４ｉｎ１が指定された場合は、図３と同様に、レイアウト順序・表紙指定画面が表示され、用紙の上下左右に４分割された領域に配置される原稿の順序が指定できるようになっている。
【００２３】
図４は、原稿形態選択画面を示す。この原稿形態選択画面２０ｃは、本文原稿のレイアウトの順序が左、右、あるいは右、左の場合に表示されるものであり、この画面２０ｃには、表紙原稿と本文原稿の向きが同じであることを示す原稿形態選択キー２６ａと、その向きが違うことを示す原稿形態選択キー２６ｂがそれらを意味する図形とともに表示される。
【００２４】
図５は、原稿形態選択画面を示す。この原稿形態選択画面２０ｃは、本文原稿のレイアウトの順序が上、下の場合に表示されるものであり、この画面２０ｃには、図４と同様に表紙原稿と本文原稿の向きが同じであることを示す原稿形態選択キー２６ａと、その向きが違うことを示す原稿形態選択キー２６ｂがそれらを意味する図形とともに表示される。
【００２５】
図６〜図１０は、操作パネル２のタッチパネルディスプレイ２０に表示される表紙出力形態指定画面を示す。
【００２６】
図６の表紙出力形態指定画面２０ｄは、本文原稿のレイアウトの順序が左、右が指定され、表紙原稿と本文原稿の向きが同じ場合、すなわち、レイアウト順序指定キー２４ａが押下され、原稿形態指定キー２６ａが押下された場合に表示されるものである。この画面２０ｄには、表紙の配置を左合わせとする表紙配置指定キー２７ａ、表紙の配置を中央とする表紙配置指定キー２７ｂ、倍率を用紙に合わせた変倍とする倍率指定キー２８ａ、および倍率を等倍とする倍率指定キー２８ｂがそれらを意味する図形とともに表示される。
【００２７】
図７の表紙出力形態指定画面２０ｄは、本文原稿のレイアウトの順序が左、右、あるいは右、左が指定され、表紙原稿と本文原稿の向きが違う場合、すなわち、レイアウト順序指定キー２４ａあるいは２４ｂが押下され、原稿形態指定キー２６ｂが押下された場合に表示されるものである。この画面２０ｄには、倍率を用紙に合わせた倍率とする倍率指定キー２８ｃ、および倍率を本文に合わせた倍率とする倍率指定キー２８ｄがそれらを意味する図形とともに表示される。
【００２８】
図８の表紙出力形態指定画面２０ｄは、本文原稿のレイアウトの順序が右、左が指定され、表紙原稿と本文原稿の向きが同じ場合、すなわち、レイアウト順序指定キー２４ｂが押下され、原稿形態指定キー２６ａが押下された場合に表示されるものである。この画面２０ｄには、表紙の配置を右合わせとする表紙配置指定キー２７ｃ、表紙の配置を中央とする表紙配置指定キー２７ｂ、倍率を用紙に合わせた変倍とする倍率指定キー２８ａ、および倍率を本文に合わせた等倍とする倍率指定キー２８ｂがそれらを意味する図形とともに表示される。
【００２９】
図９の表紙出力形態指定画面２０ｄは、本文原稿のレイアウトの順序が上、下が指定され、表紙原稿と本文原稿の向きが同じ場合、すなわち、レイアウト順序指定キー２４ｃが押下され、原稿形態指定キー２６ａが押下された場合に表示されるものである。この画面２０ｄには、表紙の配置を上合わせとする表紙配置指定キー２７ｄ、表紙の配置を中央とする表紙配置指定キー２７ｂ、倍率を用紙に合わせた変倍とする倍率指定キー２８ａ、および倍率を等倍とする倍率指定キー２８ｂがそれらを意味する図形とともに表示される。
【００３０】
図１０の表紙出力形態指定画面２０ｄは、本文原稿のレイアウトの順序が上、下が指定され、表紙原稿と本文原稿の向きが違う場合、すなわち、レイアウト順序指定キー２４ｃが押下され、原稿形態指定キー２６ｂが押下された場合に表示されるものである。この画面２０ｄには、倍率を用紙に合わせた倍率とする倍率指定キー２８ｃ、および倍率を本文に合わせた倍率とする倍率指定キー２８ｄがそれらを意味する図形とともに表示される。
【００３１】
次に、本実施の形態の動作を図１３のフローチャートに従い説明する。ここでは原稿は、図１１に示すように、表紙原稿５ａがＡ４サイズで横向き、本文原稿５ｂがＡ４サイズで縦向きとし、Ｎｕｐの指定内容は、「２ｉｎ１」とし、レイアウト順序は「左、右」を指定し、表紙原稿５ａと本文原稿５ｂの向きは「違い」、表紙原稿５ａの出力形態は「用紙に合わせた倍率」とし、用紙６のサイズはＡ４サイズで横向きに設定されている場合の動作について説明する。
【００３２】
まず、ユーザは、画像入力部３のＡＤＦ３０に表示原稿５ａと複数の本文原稿５ｂをセットし、操作パネル２のタッチパネルディスプレイ２０を押下してメニュー選択画面からＮｕｐを指定する。操作パネル２は、その指定情報をコントローラ１に送る。コントローラ１のメインＣＰＵ１６は、操作パネル２のタッチパネルディスプレイ２０に、図２に示すようなＮｕｐ設定画面２０ａを表示する（Ｓ１）。同様に、操作パネル２のタッチパネルディスプレイ２０の押下情報は、メインＣＰＵ１６に送られる。ここでユーザは、原稿５ａ，５ｂが読める向きであることを示す原稿セット向き指定キー２２ａを押下し、２ｉｎ１指定キー２３ｂを押下すると、メインＣＰＵ１６は、操作パネル２のタッチパネルディスプレイ２０に図３に示すレイアウト順序・表紙指定画面２０ｂを表示する。ユーザは、この指定画面２０ｂで本文原稿５ｂのレイアウトが「左、右」であることを示すレイアウト順序指定キー２４ａを押下し（Ｓ２）、表紙指定キー２５を押下して表紙ありを指定すると（Ｓ３）、タッチパネルディスプレイ２０に図４に示す原稿形態選択画面２０ｃが表示される。ここでユーザは、表紙原稿５ａと本文原稿５ｂの向きが違うことを示す原稿形態選択キー２６ｂを押下すると（Ｓ４）、図７に示す表紙出力形態指定画面２０ｄが表示される。なお、図３に示すレイアウト順序・表紙指定画面２０ｂで、上側に１枚目、下側に２枚目を配置するレイアウト順序指定キー２４ｃを押下した場合は、タッチパネルディスプレイ２０に図４と同様に図５に示す原稿形態選択画面２０ｃが表示される。
【００３３】
図７に示す画面２０ｄで、ユーザは、用紙に合わせた倍率であることを示す倍率指定キー２８ｃを押下し（Ｓ５）、操作パネル２のスタートボタン２ａを押下すると、コントローラ１のメインＣＰＵ１６は、表紙原稿５ａと本文原稿５ｂに対する読取倍率を演算する。表示原稿５ａに対しては等倍が選択されているので、読取倍率は１００％の演算結果となり、本文原稿５ｂに対してはＡ４のサイズに２ｉｎ１するので、読取倍率は７０％の演算結果となる。次に、メインＣＰＵ１６は、入力部Ｉ／Ｆ１１を介して画像入力部３に１００％の画像読み取りを指示する。画像入力部３の入力ＣＰＵ３３は、メインＣＰＵ１６の指示に基づいてＡＤＦ３０を制御して表紙原稿５ａを供給させ、読取部３２にその表紙原稿５ａの画像を１００％で読み取らせる。画像読取部３２は、読み取った表紙原稿５ａの画像をコントローラ１に転送する。コントローラ１のメインＣＰＵ１６は、画像入力部３によって読み取られた表紙原稿５ａの画像を表紙出力画像としてページメモリ１３に蓄積する。メインＣＰＵ１６は、ページメモリ１３に蓄積された画像が１ページ目であるか否かを判定し、１ページ目であると判定した場合は、１００％を選択して操作パネル２に状態を通知する。メインＣＰＵ１６は、ページメモリ１３に蓄積されている画像をシステムメモリ１４に転送する。メインＣＰＵ１６は、システムメモリ１４に転送された画像をＨＤＤ１５に格納するととともに、出力部Ｉ／Ｆ１２を介して画像出力部４に転送する。画像出力部４は、表紙出力画像をＡ４サイズの用紙６ａに印字する。
【００３４】
次に、コントローラ１のメインＣＰＵ１６は、画像入力部３に７０％の画像読み取りを入力部Ｉ／Ｆ１１を介して指示する。画像入力部３の入力ＣＰＵ３３は、メインＣＰＵ１６の指示に基づき、画像読取部３２に２枚目以降の本文原稿５ｂから７０％で画像を繰り返し読み取らせ、その画像をＩ／Ｆ３４を介して随時コントローラ１に転送する。メインＣＰＵ１６は、２ページ目以降の画像については２ｕｐ処理をするために、ページメモリ１３に左側の記憶領域に１ページ目の本文原稿５ｂの画像を書き込み、右側の記憶領域に２ページ目の本文原稿５ｂの画像を書き込み、合成出力画像としての２ｕｐ画像を形成する。これ以降、ページメモリ１３に左側の記憶領域に奇数ページ目の本文原稿５ｂの画像を書き込み、右側の記憶領域に偶数ページ目の本文原稿５ｂの画像を書き込み、２ｕｐ画像を形成する。その後、メインＣＰＵ１６は、ページメモリ１３に記憶されている２ｕｐ画像をシステムメモリ１４に転送する。メインＣＰＵ１６は、２ｕｐ画像をシステムメモリ１４からＨＤＤ１５に格納するとともに、画像出力部４へ転送する。画像出力部４は、２ページ目以降（本文）の印字を行う。２部目以降については、メインＣＰＵ１６は、ＨＤＤ１５から読み出して画像出力部４に転送し印字を行わせる。
【００３５】
図１２は、画像出力部４の出力結果を示す。表紙原稿５ａの画像は用紙６ａの１ページ目に印字され、本文原稿５ｂの画像は、用紙６ｂの２ページ目以降に指定されたＮｕｐ１に従って印字される。このため、見栄え良く表紙原稿が印字される。
【００３６】
なお、上記実施の形態では、本発明の画像形成装置をデジタル複写機に適用した場合について説明したが、プリンタ，ファクシミリ，複合機等の他の装置に適用してもよい。
また、Ｎｕｐが指定されている場合に、原稿センサにより１枚目と２枚目以降の原稿の向きが異なると判定された場合には、印字を行う前に表紙機能の選択を促すメッセージをタッチパネルディスプレイに表示し、表紙機能が選択された場合は、上述したように表紙画像を作成し印字するようにしてもよい。
また、表紙機能を行うか否かをシステムデータで予め設定できるようにしてもよい。
また、コントローラに直接あるいはネットワークを介して複数の操作パネル、複数の画像入力部、あるいは複数の画像出力部を接続してもよい。これにより、並行処理が可能となり、効率的なコピーを行うことができる。
【００３７】
【発明の効果】
以上説明したように、本発明の画像形成装置によれば、表紙原稿は１ページ目の用紙に印字され、それ以外の本文原稿は２ページ目以降の用紙にいわゆるＮｉｎ１で印字されるので、見栄えが良くなる。
【図面の簡単な説明】
【図１】本発明の実施の形態に係る画像形成装置が適用されたデジタル複写機のブロック図である。
【図２】本実施の形態に係るデジタル複写機の操作パネルに表示されたＮｕｐ設定画面を示す図である。
【図３】本実施の形態に係るデジタル複写機の操作パネルに表示されたレイアウト順序・表紙指定画面を示す図である。
【図４】本実施の形態に係るデジタル複写機の操作パネルに表示された原稿形態選択画面を示す図である。
【図５】本実施の形態に係るデジタル複写機の操作パネルに表示された原稿形態選択画面を示す図である。
【図６】本実施の形態に係るデジタル複写機の操作パネルに表示された表紙出力形態指定画面を示す図である。
【図７】本実施の形態に係るデジタル複写機の操作パネルに表示された表紙出力形態指定画面を示す図である。
【図８】本実施の形態に係るデジタル複写機の操作パネルに表示された表紙出力形態指定画面を示す図である。
【図９】本実施の形態に係るデジタル複写機の操作パネルに表示された表紙出力形態指定画面を示す図である。
【図１０】本実施の形態に係るデジタル複写機の操作パネルに表示された表紙出力形態指定画面を示す図である。
【図１１】本実施の形態に係るデジタル複写機の動作を説明するための原稿を示す図である。
【図１２】本実施の形態に係るデジタル複写機の動作を説明するための出力画像を示す図である。
【図１３】本実施の形態に係るデジタル複写機における表紙出力形態の指定を示すフローチャートである。
【図１４】従来の画像形成装置の問題点を説明するための図であり、（ａ）は原稿を示す図、（ｂ）は出力画像を示す図である。
【図１５】従来の画像形成装置の問題点を説明するための図であり、（ａ）は原稿を示す図、（ｂ）は出力画像を示す図、（ｃ）はとじた状態を示す図である。
【符号の説明】
１  コントローラ
２  操作パネル
２ａ  スタートボタン
３  画像入力部
４  画像出力部
５ａ  表紙原稿
５ｂ  本文原稿
６ａ，６ｂ  用紙
７  ホチキス止め
１０  パネルＩ／Ｆ
１１  入力部Ｉ／Ｆ
１２  出力部Ｉ／Ｆ
１３  ページメモリ
１４  システムメモリ
１５  ＨＤＤ
１６  メインＣＰＵ
２０  タッチパネルディスプレイ
２０ａ  Ｎｕｐ設定画面
２０ｂ  レイアウト順序・表紙指定画面
２０ｃ  原稿形態選択画面
２０ｄ  表紙出力形態指定画面
２１ａ  取り消しキー
２１ｂ  閉じるキー
２２ａ，２２ｂ  原稿向き指定キー
２３ａ  Ｎｉｎ１中止キー
２３ｂ  ２ｉｎ１指定キー
２３ｃ  ４ｉｎ１指定キー
２４ａ，２４ｂ，２４ｃ  レイアウト順序指定キー
２５  表紙指定キー
２６ａ，２６ｂ  原稿形態指定キー
２７ａ，２７ｂ，２７ｃ，２７ｄ  表紙配置指定キー
２８ａ，２８ｂ，２８ｃ，２８ｄ  倍率指定キー
３０  ＡＤＦ
３１  原稿センサ
３２  画像読取部
３３  入力ＣＰＵ
３４  Ｉ／Ｆ
【図１】
0003888198.tif 000002
【図２】
0003888198.tif 000003
【図３】
0003888198.tif 000004
【図４】
0003888198.tif 000005
【図５】
0003888198.tif 000006
【図６】
0003888198.tif 000007
【図７】
0003888198.tif 000008
【図８】
0003888198.tif 000009
【図９】
0003888198.tif 000010
【図１０】
0003888198.tif 000011
【図１１】
0003888198.tif 000012
【図１２】
0003888198.tif 000013
【図１３】
0003888198.tif 000014
【図１４】
0003888198.tif 000015
【図１５】
0003888198.tif 000016